(57)【要約】      （修正有）【課題】異なる各照明様式において、全ての輝度範囲に渡って照明強度の可能な限り精確な調節が可能な顕微鏡を提供する。【解決手段】光源１１０並びに少なくとも二つの電流調整装置１２０、１３０を有している顕微鏡のための照明装置１００であり、少なくとも二つの電流調整装置の各々は、参照値入力部１２１、１３１及び測定抵抗デバイスＲ１、Ｒ２を有しており、光源のための貫流電流Ｉ１、Ｉ２を供給するように、そして、測定抵抗デバイスでの電圧降下Ｕ１、Ｕ２を介して、貫流電流の強さを参照値入力部に印加する信号ＵＳ１、ＵＳ２に基づいて制御するように、設定されている。【選択図】図２
0003198221.tif 000002
【実用新案登録請求の範囲】
【請求項１】
光源（１１０）並びに少なくとも二つの電流調整装置（１２０、１３０）を有する照明装置（１００）を備えた顕微鏡（２００）において、
少なくとも二つの電流調整装置（１２０、１３０）の各々が、
参照値入力部（１２１、１３１）及び測定抵抗デバイス（Ｒ１；Ｒ２）を有し、また、光源（１１０）のために貫流電流（Ｉ１、Ｉ２）を供給するために、また、測定抵抗デバイス（Ｒ１；Ｒ２）での電圧降下（Ｕ１、Ｕ２）を介して貫流電流（Ｉ１、Ｉ２）の強さを参照値入力部（１２１、１３１）に印加する信号（ＵＳ１、ＵＳ２）に基いて調整するために、顕微鏡の少なくとも二つの異なる照明様式を調整するために形成されている調節装置（２１２）を備えて、設定されていること、
調節装置（２１２）と照明装置（１００）の間の作動接続が、
第１の照明様式の調節が照明装置（１００）を第１の電流構成へ切り替えるように、また、第２の照明様式の調節が照明装置（１００）を第２の電流構成に切り替えるように、構成されており、前記第１の電流構成では、少なくとも二つの電流調整装置（１２０、１３０）のうち、少なくとも一方は貫流電流（Ｉ２）を供給せず、また、前記第２の電流構成では、少なくとも二つの電流調整装置（１２０、１３０）のうち、上記の少なくとも一方が貫流電流（Ｉ２）を供給すること
を特徴とする顕微鏡（２００）。
【請求項２】
請求項１に記載の顕微鏡（２００）において、
少なくとも二つの電流調整装置（１２０、１３０）のうちの第１の電流調整装置（１２０）の測定抵抗デバイス（Ｒ１）が、少なくとも二つの電流調整装置（１２０、１３０）のうちの第２の電流調整装置（１３０）の測定抵抗デバイス（Ｒ２）とは異なる、電気抵抗（Ｒ１）を有していること、
を特徴とする顕微鏡（２００）。
【請求項３】
請求項２に記載の顕微鏡（２００）において、
第１の電流調整装置（１２０）の測定抵抗デバイス（Ｒ１）の電気抵抗の値が、第２の電流調整装置（１３０）の測定抵抗デバイス（Ｒ２）の電気抵抗の値の、少なくとも、２倍、３倍、４倍、５倍、６倍、７倍、又は８倍であること、
を特徴とする顕微鏡（２００）。
【請求項４】
請求項２又は３に記載の顕微鏡（２００）において、
第１の電流調整装置（１２０）の測定抵抗デバイス（Ｒ１）の電気抵抗の値が、第２の電流調整装置（１３０）の測定抵抗デバイス（Ｒ２）の電気抵抗の値の、少なくとも、５０倍、７５倍、又は１００倍であること、
を特徴とする顕微鏡（２００）。
【請求項５】
請求項１から４のいずれか一項に記載の顕微鏡（２００）において、
少なくとも二つの電流調整装置（１２０、１３０）が、貫流電流（Ｉ１
、Ｉ２）として直流を供給するために、形成されていること、
を特徴とする顕微鏡（２００）。
【請求項６】
請求項１から５のいずれか一項に記載の顕微鏡（２００）において、
光源（１１０）が少なくとも一つのＬＥＤ（Ｄ１、ＤＮ）を有すること、
を特徴とする顕微鏡（２００）。
【請求項７】
請求項１から６のいずれか一項に記載の顕微鏡（２００）において、
照明装置が回路（１５０、Ｓ）を有しており、
上記回路は、照明装置（１００）を第１の電流構成で駆動するために形成されており、この第１の電流構成では少なくとも二つの電流調整装置（１２０、１３０）のうち、少なくとも一方に、貫流電流（Ｉ２）が供給されず、また、
上記回路は、照明装置（１００）を第２の電流構成で駆動するために形成されており、この第２の電流構成では少なくとも二つの電流調整装置（１２０、１３０）のうち、上記の少なくとも一方に、貫流電流（Ｉ２）が供給されること、
を特徴とする顕微鏡（２００）。
【請求項８】
請求項７に記載の顕微鏡（２００）において、
前記回路（Ｓ）が複数の切り替え手段（Ｓ）を有しており、当該切り替え手段（Ｓ）が、少なくとも二つの電流調整装置（１２０、１３０）のうちの少なくとも一方の参照値入力部（１３１）、アース、及び、信号源（ＵＳ１、ＵＳ２）と、接続されており、それは参照値入力部（１３１）を、第１の電流構成ではアースと、そして、第２の電流構成では信号源（ＵＳ）と接続するためであること、
を特徴とする顕微鏡（２００）。
【請求項９】
請求項１から８のいずれか一項に記載の顕微鏡（２００）において、
少なくとも二つの電流調整装置（１２０、１３０）が並列に接続されており、それにより、少なくとも二つの電流調整装置（１２０、１３０）によって供給される貫流電流（Ｉ１、Ｉ２）が、光源（１１０）を流れる全貫流電流（Ｉ０）内へ流れこむこと、
を特徴とする顕微鏡（２００）。
【請求項１０】
請求項１から９のいずれか一項に記載の顕微鏡（２００）において、
少なくとも二つの電流調整装置（１２０、１３０）の少なくとも一方が、貫流電流（Ｉ１、Ｉ２）の強さを調整するように、設定されており、この調整は、測定抵抗デバイス（Ｒ１；Ｒ２）における電圧降下（Ｕ１、Ｕ２）が参照値入力部（１２１、１３１）に印加する参照電圧（ＵＳ１、ＵＳ２）に対応するように行われること、
を特徴とする顕微鏡（２００）。
【請求項１１】
請求項１から１０のいずれか一項に記載の顕微鏡（２００）において、
少なくとも二つの電流調整装置（１２０、１３０）の一方が差動アンプ回路（１２２、１３２）を有しており、そこに測定抵抗デバイス（Ｒ１、Ｒ２）での電圧降下（Ｕ１、Ｕ２）が印加すること、
を特徴とする顕微鏡（２００）。
【請求項１２】
請求項１から１１のいずれか一項に記載の顕微鏡（２００）において、
少なくとも二つの異なる照明様式の一方が明視野照明であり、また、少なくとも二つの異なる照明様式のもう一方が暗視野照明、位相差照明、及び／又は、蛍光照明であること、
を特徴とする顕微鏡（２００）。
【考案の詳細な説明】
【技術分野】
【０００１】
本考案は、照明装置を備えられた顕微鏡に関する。
【背景技術】
【０００２】
顕微鏡において、（例えば、明視野照明、暗視野照明、位相差照明、蛍光照明といった）異なる照明様式のために、最適な輝度が達成されるべきである場合、発光強度は大きなダイナミックレンジ内で変更されなければならない。例えば、暗視野照明、位相差照明、又は蛍光照明がそれぞれ非常に多くの光を必要とする一方で、明視野照明は僅かな光しか必要としない。
【０００３】
現代の顕微鏡では、ますます頻繁に発光ダイオード（ＬＥＤ）が光源として使用されるが、これは、発光ダイオードが従来の電球や高圧ランプと比べて多岐にわたる長所を有しているためである。ＬＥＤは通常、より長い寿命を有しており、丈夫であり、小さく、本質的により少ない発熱を示し、そして、色調の変化なしに光を弱めることが出来る。
【０００４】
ＬＥＤでは、或いは、半導体材料からなる照明手段一般では、照明強度は、それらの貫流電流によって制御される。その際、特に、全ての輝度範囲に渡って照明強度の可能な限り精確な調節が可能であるような、電流強度の調整が困難であることが知られている。
【考案の概要】
【考案が解決しようとする課題】
【０００５】
従って、特には異なる照明様式のためにも、全ての輝度範囲に渡って照明強度の可能な限り精確な調節が可能であるような顕微鏡を使用可能とすることが望まれる。
【課題を解決するための手段】
【０００６】
本考案によれば、請求項１の特徴を有する顕微鏡が提案される。有利な実施形態は、従属請求項や以下の明細書の構成である。
【０００７】
本考案の長所
本考案は、貫流電流の精密な調整による、光源の照明強度の精密な調整を可能とする。電流強度を調整するために、少なくとも二つの電流調整装置が用いられ、これらは各々１つの測定抵抗デバイスを有しており、その際、測定抵抗デバイスにおいて低下する電圧は電流調整装置のための調整量（制御量）として利用される。電流調整装置は、参照値入力部（設定値入力部）を有しており、また、電流強度をそこに印加する信号に対応的に調整する。信号源（信号ソース）は例えば、ポテンショメーターを備えた分圧器やデジタルの切り替えデバイスであることが可能で、この分圧器は輝度を調節するために利用者によって操作されるものであり、また、切り替えデバイスにおいては、信号は例えばマイクロコントローラを使用して発生される。
【０００８】
少なくとも二つの電流調整装置の測定抵抗デバイスが、異なる電気抵抗を有することによって、照明強度の正確な調整が広い輝度範囲に渡って可能になり、その際合目的には、第１の電流調整装置は大きな電気抵抗を備えた抵抗デバイスを有しており、また、第２の電流調整装置は小さな電気抵抗を備えた抵抗デバイスを有している。これは、特に有利な方法で、小さな貫流電流を第１の電流調整装置によって非常に正確に且つより細かいステップで供給すること、及び、大きな貫流電流を第２の電流調整装置によって非常に正確に且つより大まかなステップで供給すること、を可能にする。従って、電圧降下は、（例えば明視野照明の際の）小さな貫流電流の場合は、大きな電気抵抗を有する第１の電流調整装置を介して、十分に大きく、精確な調整のために、維持され得て、また、（例えば暗視野照明、位相差照明、及び蛍光照明の際の）大きな貫流電流の場合は、小さな電気抵抗を有する第２の電流調整装置を介して、十分に小さく、僅かな出力損失のために維持され得る。調整精度は、異なる輝度範囲及び従って異なる電流強度範囲で、十分に高いままであるので、例えば明視野照明のためのような、僅かな輝度のための要求も、位相差照明の場合のような大きな輝度のための要求も共に、カバーすることが出来る。更に、両方の電流を足し合わせることは、大きな電流において精密なステップでの調整を可能にする。
【０００９】
発光ダイオードはとりわけ、その発光強度と共に非常に素早く電流変化に反応することが出来る、という特性を有している。電流が非常に小さい場合は用いられる電子部品のノイズにも由来する電流強度の、非制御の変化は、従って発光強度の揺れ（変動）をもたらすので、望まれるものではない。貫流電流は従って、有利には定電流として準備され、これは特にはデジタルカメラによる画像撮影の質を向上させる、なぜならデジタルカメラでは、肉眼では場合によっては認識されない高周波の発光強度の揺れが、画像内の障害（縞、ノイズ等）として認識され得るためである。
【００１０】
有利には、照明装置は、参照値信号をプリセットするためのメモリ装置を備えたデジタル回路を有しており、このメモリ内には、例えば所望の輝度に依存して、個々の電流調整装置のための電圧参照値のための、少なくとも１つのテーブルが預けられている。デジタル回路は、同一の又は異なる参照値を電流調整回路へ与えるために、設定されていてもよい。この方法では、電流調整装置を接続（スイッチオン）または切断（スイッチオフ）することなしに、広い輝度範囲がカバーされ得る。これにより、輝度中断及び非制御の輝度スキップを避けることが出来る。
【００１１】
ちょうど２つの電流調整装置が設けられている場合、特に有利であることが明らかになった。それによって、構造的なコストは低いままで、それにもかかわらず、良好な精度で広い輝度範囲がカバーされる。
【００１２】
特には、第１及び第２の電流調整装置の測定抵抗デバイスの電気抵抗は、例えば１：５０、１：７５、又は１：１００のような必要とされるダイナミクス（Dynamik）の乗根（ルート）のような関係にある。ダイナミクスと称されるものは、最大の電流値及び最小の電流値の商である。従って、例えば１０Ａの最大電流と１ｍＡの最小電流は、１：１００００のダイナミクスレンジをもたらす。双方で貫流電流を形成する、大きな測定抵抗を備えた低電流パス、及び、小さな測定抵抗を備えた高電流パスへの、電流パスの分割は、大きな信号ノイズ間隔及び照明強度の高い精度を有する小さな貫流電流と同様に、照明強度の高い精度を有する大きな貫流電流を可能にする。その際、個々の電流パスの電流を足し合わせることによって、大きな貫流電流も、非常に精密に、すなわち高分解能で、変更及び調節され得る。
【００１３】
特には、第１の照明様式では、実質的に第１の電流調整装置によってのみ貫流電流が供給され、また、第２の照明様式では、第１及び第２の電流調整装置によって貫流電流が供給される。照明様式の切り替えは、第２の電流調整装置の電流強度を０に調整することによって、又は、第２の電流調整装置をスイッチオン或いはスイッチオフによって、実行可能であり、その際、第１の電流調整装置は常にアクティブなままである。それにより、照明様式を変更する際の輝度中断及び電流スキップを避けることが出来る。スイッチオン及びスイッチオフは、一方又は両方の参照値入力部を信号源或いはアースに接続する切り替え手段を介して、実現することが出来る。特に、オンにされた全ての電流調整装置の参照値入力部に、同一の信号が印加することを想定できる。
【００１４】
照明様式を変更する際に自動で一方の電流調整装置がオンにされるように又はオフにされるように（或いは０に調整されるように）、更なる電流調整装置のスイッチオンが、（利用者による）顕微鏡の照明様式の切り替えに関連付けられている場合、有利である。これは、特には対応する複数の切り替え手段の自動操作によって実行することが可能であり、それらの切り替え手段は特には、１つ又は複数の参照値入力部を１つの同一の信号源と接続させる、又は上述のようにデジタルスイッチによって実行することが可能である。
【００１５】
第１及び第２の電流調整装置の測定抵抗デバイスの電気抵抗の関係は、特には少なくとも２：１、３：１、４：１、５：１、６：１、７：１、８：１、またはそれよりも大きいものである。特には、電気抵抗は、輝度範囲のために望まれる電流強度の上限とは反対の関係にある。２つの測定抵抗デバイスの電気抵抗が、最低でもほぼ４：１の関係にあるか、又は、最高でもほぼ８：１の関係にある場合、特に有利であることが明らかになった。第１の、暗い照明様式のための（特には明視野照明のための）、最大貫流電流が、第２の、明るい照明様式のための（特には暗視野照明、位相差照明、及び蛍光照明のための）、最大の貫流電流の最大でも１／４又は最大でも１／８である場合、特に有利である。
【００１６】
本考案の更なる長所及び構成は、明細書及び付属の図面から明らかになる。
【００１７】
前述の特徴及び後述の特徴を、本考案の枠から出ることなしに、それぞれに説明された組み合わせのみならず、その他の組み合わせにおいても、又は、単独でも、援用することが可能であることは自明である。
【００１８】
本考案は、図中の実施例を用いて概略的に示されており、以下において
図面との関連において十分に記載される。
【図面の簡単な説明】
【００１９】
【図１】一つの抵抗構成のみを備えた測定抵抗デバイスを有する、本考案に従うものではないＬＥＤ回路を示す。
【図２】二つの電流構成を準備するための、二つの電流調整装置及び切り替え手段を有する照明装置の好ましい実施形態を示す。
【図３】本考案に従う顕微鏡の好ましい実施形態を示す。
【考案を実施するための形態】
【００２０】
図１には、原理的なＬＥＤ電流調整を説明するために、本考案とは異なるＬＥＤ駆動回路１０が示されており、これは電圧制御された電流源の原理に従って作動する。１つ又は複数のＬＥＤ Ｄ１、・・・、ＤＮを有する光源を流れる貫流電流Ｉ０は、その際、参照電圧ＵＳに従って調整される。実電圧としては、測定抵抗Ｒ１にて降下する電圧Ｕ０が用いられ、参照電圧ＵＳとともに、電流調整装置１２のオペアンプ（オペレーショナル・アンプリファイア）ＯＰへ供給される。知られているように、オペアンプの出力信号はＵＳとＵ０の間の電位差に依存する。回路要素Ｑ１を通って、また従って測定抵抗Ｒ１を通って流れる電流Ｉ０を調整するために、出力信号は、電流調節のための切り替え要素に、ここではＦＥＴ、ＩＧＢＴ、又はその他のトランジスタＱ１に、ゲート（或いは基板）にて、供給される。
【００２１】
この簡潔なＬＥＤ駆動回路（ＬＥＤドライブ回路）においては、適した測定抵抗Ｒ１を選択するという課題が存在するが、これは測定抵抗にて降下する電圧が、一方で、ノイズのない信号を得るために、電流が小さい場合において十分大きくなくてはならないためであり、またもう一方で、測定抵抗にて電流が大きい場合に降下する出力損失が依然として許容可能でなくてはならず、また、部材の破壊を導いてはならないためである。
【００２２】
例えば抵抗が１Ωである場合、１Ａの貫流電流では、１Ｖの電圧が降下し、１Ｗの出力損失（仕事）へと変換される。その後はしかしながら、例えばわずか０．１ｍＡのわずかな電流では、０．１ｍＶの電圧が降下し、その際、典型的なオペアンプのノイズ電圧は０．００１ｍＶの範囲、つまり既に１％となる。パーセント範囲の輝度の揺れは、しかしながら、例えばカメラを用いての電気的な測定及び評価では、既に許容できない。
【００２３】
小さい電流の場合に降下する電圧は、より大きな測定抵抗によって高められ得るが、それに応じて、電流が大きい場合に降下する出力損失は増大する。
【００２４】
この状況を改善するため、図２にて配線図の様態で示されているような、顕微鏡のための照明装置１００が提案される。照明装置１００の好ましい実施形態は、光源１１０並びに第１の電流調整装置１２０及び第２の電流調整装置１３０を有している。光源１１０は、１つ又は複数のＬＥＤ Ｄ１、・・・、ＤＮを含んでいてもよい。第１の電流調整装置１２０は貫流電流Ｉ１を調整するために形成されており、第２の電流調整装置１３０は貫流電流Ｉ２を調整するために形成されている。貫流電流Ｉ１及びＩ２は、両者で、光源１１０を流れる貫流電流Ｉ０＝Ｉ１＋Ｉ２を形成する。
【００２５】
顕微鏡の照明装置内でのＬＥＤの使用は、コイルフィラメント（グローフィラメント）と比較して電流使用量及び排熱を減少させるので、高価な冷却器のための追加の構成空間は殆ど必要とならない。ＬＥＤは、大きな光出力の際及びより僅かな電力消費の際に、僅かな体積のみを有するので、また、色温度の変更なしに減光可能でるので、ＬＥＤは従来の電球に対して有利である。
【００２６】
第１の電流調整装置１２０は、測定抵抗デバイスＲ１及び参照値入力部１２１を有しており、また、貫流電流Ｉ１の強さを測定抵抗デバイスＲ１での電圧降下Ｕ１を介して参照値入力部１２１に印加している参照電圧ＵＳ１に基いて調整するように、設定されている。図示された例では、電流調整装置１２０は、貫流電流Ｉ０の強さを調整するように、設定されており、この調整は、測定抵抗デバイスＲ１における電圧降下Ｕ０が参照値入力部１２１に印加している参照電圧ＵＳ１に対応するように行われる。破線を用いて表されている代替的な実施形態では、電流調整装置１２０はその参照値入力部１２１に差動アンプ回路１２２を有しており、これは測定抵抗デバイスＲ１での電圧降下Ｕ１を増幅する。それは、測定抵抗デバイスＲ１での電圧降下を検出する更なるオペアンプＯＰを備えている。差動アンプ回路によって、出力ライン（出力ケーブル）に起因する測定エラーは最小限に抑えられる。
【００２７】
第２の電流調整装置１３０は、測定抵抗デバイスＲ２及び参照値入力部１３１を有しており、又、貫流電流Ｉ２の強さを測定抵抗デバイスＲ２での電圧降下Ｕ２を介して参照値入力部１３１に印加している参照電圧ＵＳ２に基いて調整するように、設定されている。図示された例では、電流調整装置１３０は、貫流電流Ｉ２の強さを調整するように、設定されており、この調整は、測定抵抗デバイスＲ２における電圧降下Ｕ２が参照値入力部１３１に印加している参照電圧ＵＳ２に対応するように行われる。
【００２８】
破線を用いて表されている代替的な実施形態では、電流調整装置１３０は差動アンプ回路１３２を有しており、これは測定抵抗デバイスＲ２での電圧降下Ｕ２を増幅する。それは更なるオペアンプＯＰを備えており、その反転入力部はアースされている。差動アンプ回路１３２は、従って、全体として非反転である。差動アンプ回路によって、出力ラインに起因する測定エラーは最小限に抑えられる。
【００２９】
ここで図示される実施形態に従い、参照電圧ＵＳ１及びＵＳ２は、デジタル回路１５０によって発生され、これは利用者のための、例えば操作装置１６０に、例えば回転ハンドルやその類のものに、接続されており、そして、操作装置の操作値に応じて参照電圧Ｕ１及びＵ２を発生する。そのために、デジタル回路１５０は、例えばメモリ装置を備えたマイクロプロセッサを利用可能であり、当該メモリ装置には例えばルックアップテーブルが電圧−参照値とともに個々の電流調整装置のために保存されている。
【００３０】
デジタル回路１５０によって、照明装置１００は第１の電流構成へともたられ得て、そこでは参照電圧ＵＳ２として０Ｖが第２の電流調整装置１３０の参照値入力部１３１に印加され、また従って、第２の電流調整装置１３０は貫流電流Ｉ２を流さず、そして、ノイズに寄与することもない。ここで、光源１１０を通る貫流電流は、第１の電流調整装置によって、高い精度で供給される貫流電流、つまり、Ｉ０＝Ｉ１、に対応する。
【００３１】
デジタル回路１５０によって、照明装置１００は第２の電流構成へももたらされ得て、そこでは参照電圧ＵＳ２として０Ｖよりも大きな電圧が第２の電流調整装置１３０の参照値入力部１３１に印加され、また従って、第２の電流調整装置１３０は貫流電流Ｉ２を供給する。ここで、光源１１０を通る貫流電流は、第１及び第２の電流調整装置によって供給される貫流電流の和、つまり、Ｉ０＝Ｉ１＋Ｉ２、に対応する。
【００３２】
好ましい本実施例では、電気抵抗Ｒ１／Ｒ２は、特に、おおよそ１００：１の関係にあるので、電流調整装置によって供給される貫流電流はおおよそ１：１００の関係にある。
【００３３】
破線で示される代替的な実施形態に従えば、参照値入力部１３１には、切り替え手段Ｓが設けられており、この切り替え手段Ｓは参照値入力部１３１を参照電圧ＵＳ２又はアースに接続することが出来る。参照電圧ＵＳ２は、参照電圧ＵＳ１と同じであってもよい。これらの参照電圧は、１つのデジタル回路又は１つのアナログ回路によって、（例えばポテンショメータを用いて）、予め設定することが出来る。参照値入力部１３１がアースに接続されている場合は、電流調整装置は、貫流電流Ｉ２を供給しない。
【００３４】
切り替え手段Ｓによっても、照明装置１００を第１の電流形態に至らしめることが出来る、この第１の電流形態では、第２の電流調整装置１３０の参照値入力部１３１はアースに接続されており、また従って、第２の電流調整装置１３０は貫流電流Ｉ２を供給しない。この場合、光源１１０を流れる貫流電流は、第１の電流調整装置によって供給される貫流電流に対応する、つまり、Ｉ０＝Ｉ１、となる。
【００３５】
切り替え手段Ｓによって、照明装置１００を第２の電流形態に至らしめることも出来る、この第２の電流形態では、第２の電流調整装置１３０の参照値入力部１３１は、信号源に接続されており、また従って、第２の電流調整装置１３０は貫流電流Ｉ２を供給する。この場合、光源１１０を流れる貫流電流は、第１及び第２の電流調整装置によって供給される貫流電流の和に対応する、つまり、Ｉ０＝Ｉ１＋Ｉ２、となる。
【００３６】
代替的な実施形態では電気抵抗Ｒ１／Ｒ２は、特にはおおよそ７：１の関係になるので、二つの電流調整装置によって供給される二つの貫流電流はおおよそ１：７の関係になる。光源を流れる貫流電流は、図示された回路では、１：８の関係になる。この場合は、第１の、暗い照明様式のための（特には明視野照明のための）、最大貫流電流は、第２の、明るい照明様式のための（特には暗視野照明、位相差照明、及び蛍光照明のための）、最大の貫流電流の１／８の値をとる。顕微鏡において、暗視野照明又は位相差照明に対する、明視野照明の照明強度の比が、１：８であると有利であることが示されている。
【００３７】
図３には、顕微鏡の好ましい実施形態が概略的な断面図で図示されており、符号２００で表されている。顕微鏡２００は照明装置１００を装備している。
【００３８】
顕微鏡は、顕微鏡本体部２０４を有し、この顕微鏡本体部２０４には顕微鏡ステージ２０２が保持部２０３と共に配設されている。サンプル（試料）２０１は、顕微鏡ステージ２０２上に位置決めされ、そして、回転ハンドル２０５として形成された調整装置を用いて垂直方向に変位され得る。対物レンズ用レボルバー２０６には、個々の対物レンズ２０７が設けられている。
【００３９】
サンプル２０１を照らすため、照明装置１００が、照明ビームパス（照明光線の経路）の端部に設けられている。サンプル２０１によって反射される照明光は、観察ビームパス（観察光線の経路）２０９内で、鏡筒２１０を通って、接眼レンズ２１１に達する。ビームパスの光軸は、破線で表されている。ビームパスには、本考案にとって関連性がないためここでは詳細に示されてはいない光学要素、つまりビームスプリッター、レンズ、絞りの様な光学要素、を配設することが出来る。
【００４０】
照明ビームパス内には調節装置２１２が配設されており、この調節装置２１２は照明装置１００を備え、特には切り替え手段Ｓ又はデジタル回路１５０を備えた実施形態に従い、動作接続状態にある。調節装置２１２は、顕微鏡の照明様式を変更するために形成されており、特に、調節装置２１２は、明視野照明及び暗視野照明の調節を、更に特には位相差照明及び／又は蛍光照明の調節を、可能にする。調整装置２１２はガイド内で変位可能なスライダー（シャッター）を有しており、その際、スライダーの位置を検知し、そして、特には照明装置１００内で制御装置へと伝達する複数のセンサが設けられている。制御装置は、検出された位置に依存して切り替え手段Ｓ或いはデジタル回路１５０を作動制御し、その際特には切り替え手段Ｓは明視野照明において参照値入力部をアースに、そしてその他の言及された照明様式においては参照値入力部を信号源に接続させる。代替的に又は追加的に、操作装置１６０が備えられており、これはデジタル回路１５０に接続されている。
【符号の説明】
【００４１】
１００  照明装置
１１０  光源
１２０  電流調整装置
１２１  参照値入力部
１２２  差動アンプ回路
１３０  電流調整装置
１３１  参照値入力部
１３２  差動アンプ回路
１５０  デジタル回路
２００  顕微鏡
２１２  調節装置
Ｄ１-ＤＮ  ＬＥＤ
Ｉ１  貫流電流
Ｉ２  貫流電流
Ｒ１  測定抵抗デバイス
Ｒ２  測定抵抗デバイス
Ｓ  切り替え手段
Ｕ１  電圧降下
Ｕ２  電圧降下
ＵＳ１  信号
ＵＳ２  信号
【図１】
0003198221.tif 000003
【図２】
0003198221.tif 000004
【図３】
0003198221.tif 000005